【手続補正書】
【提出日】平成18年3月3日(2006.3.3)
【手続補正１】
【補正対象書類名】明細書
【補正対象項目名】特許請求の範囲
【補正方法】変更
【補正の内容】
【特許請求の範囲】
【請求項１】
２次元バーコードのパターンを認識する画像処理装置において、
３次元画像データを前記２次元バーコードの前記パターンに対応付けて記憶する記憶手段と、
前記２次元バーコードが貼付されたオブジェクトを撮像する撮像手段と、
前記撮像手段が撮像した前記オブジェクトの画像の中から前記２次元バーコードを探知する探知手段と、
前記探知手段が探知した前記２次元バーコードの前記画像における座標情報を検出する検出手段と、
前記探知手段が探知した前記２次元バーコードの前記パターンを識別する識別手段と、
前記記憶手段が記憶した前記３次元画像データのうちの前記識別手段が識別した前記２次元バーコードの前記パターンに対応するものに対応する３次元画像を、前記撮像手段が撮像した前記オブジェクトの画像上であって、前記検出手段が検出した前記２次元バーコードの前記画像における座標情報に基づいて決定される座標系の座標に表示するように制御する表示制御手段と
を含むことを特徴とする画像処理装置。
【請求項２】
前記３次元画像データは、Microsoft Direct3Dのアプリケーションプログラムインターフェイスに対応するＸファイルである
ことを特徴とする請求項１に記載の画像処理装置。
【請求項３】
前記識別手段が識別した前記２次元バーコードの前記パターンに対応するサウンドファイルを再生する再生手段を
さらに含むことを特徴とする請求項１に記載の画像処理装置。
【請求項４】
２次元バーコードのパターンを認識する画像処理装置の画像処理方法において、
３次元画像データを前記２次元バーコードの前記パターンに対応付けて記憶する記憶ステップと、
前記２次元バーコードが貼付されたオブジェクトを撮像する撮像ステップと、
前記撮像ステップで撮像した前記オブジェクトの画像の中から前記２次元バーコードを探知する探知ステップと、
前記探知ステップで探知した前記２次元バーコードの前記画像における座標情報を検出する検出ステップと、
前記探知ステップで探知した前記２次元バーコードの前記パターンを識別する識別ステップと、
前記記憶ステップで記憶した前記３次元画像データのうちの前記識別ステップで識別した前記２次元バーコードの前記パターンに対応するものに対応する３次元画像を、前記撮像ステップで撮像した前記オブジェクトの画像上であって、前記検出ステップで検出した前記２次元バーコードの前記画像における座標情報に基づいて決定される座標系の座標に表示するように制御する表示制御ステップと
を含むことを特徴とする画像処理方法。
【請求項５】
２次元バーコードのパターンを認識する画像処理用のプログラムであって、
３次元画像データを前記２次元バーコードの前記パターンに対応付けて記憶する記憶ステップと、
前記２次元バーコードが貼付されたオブジェクトを撮像する撮像ステップと、
前記撮像ステップで撮像した前記オブジェクトの画像の中から前記２次元バーコードを探知する探知ステップと、
前記探知ステップで探知した前記２次元バーコードの前記画像における座標情報を検出する検出ステップと、
前記探知ステップで探知した前記２次元バーコードの前記パターンを識別する識別ステップと、
前記記憶ステップで記憶した前記３次元画像データのうちの前記識別ステップで識別した前記２次元バーコードの前記パターンに対応するものに対応する３次元画像を、前記撮像ステップで撮像した前記オブジェクトの画像上であって、前記検出ステップで検出した前記２次元バーコードの前記画像における座標情報に基づいて決定される座標系の座標に表示するように制御する表示制御ステップと
を含むことを特徴とするプログラムをコンピュータに実行させる媒体。
【手続補正２】
【補正対象書類名】明細書
【補正対象項目名】０００７
【補正方法】変更
【補正の内容】
【０００７】
【課題を解決するための手段】
本発明の画像処理装置は、３次元画像データを２次元バーコードのパターンに対応付けて記憶する記憶手段と、２次元バーコードが貼付されたオブジェクトを撮像する撮像手段と、撮像手段が撮像したオブジェクトの画像の中から２次元バーコードを探知する探知手段と、探知手段が探知した２次元バーコードの画像における座標情報を検出する検出手段と、探知手段が探知した２次元バーコードのパターンを識別する識別手段と、記憶手段が記憶した３次元画像データのうちの識別手段が識別した２次元バーコードのパターンに対応するものに対応する３次元画像を、撮像手段が撮像したオブジェクトの画像上であって、検出手段が検出した２次元バーコードの画像における座標情報に基づいて決定される座標系の座標に表示するように制御する表示制御手段と
を含むことを特徴とする。
【手続補正３】
【補正対象書類名】明細書
【補正対象項目名】０００９
【補正方法】変更
【補正の内容】
【０００９】
本発明の画像処理方法は、３次元画像データを２次元バーコードのパターンに対応付けて記憶する記憶ステップと、２次元バーコードが貼付されたオブジェクトを撮像する撮像ステップと、撮像ステップで撮像したオブジェクトの画像の中から２次元バーコードを探知する探知ステップと、探知ステップで探知した２次元バーコードの画像における座標情報を検出する検出ステップと、探知ステップで探知した２次元バーコードのパターンを識別する識別ステップと、記憶ステップで記憶した３次元画像データのうちの識別ステップで識別した２次元バーコードのパターンに対応するものに対応する３次元画像を、撮像ステップで撮像したオブジェクトの画像上であって、検出ステップで検出した２次元バーコードの画像における座標情報に基づいて決定される座標系の座標に表示するように制御する表示制御ステップとを含むことを特徴とする。
【手続補正４】
【補正対象書類名】明細書
【補正対象項目名】００１０
【補正方法】変更
【補正の内容】
【００１０】
本発明の媒体のプログラムは、３次元画像データを２次元バーコードのパターンに対応付けて記憶する記憶ステップと、２次元バーコードが貼付されたオブジェクトを撮像する撮像ステップと、撮像ステップで撮像したオブジェクトの画像の中から２次元バーコードを探知する探知ステップと、探知ステップで探知した２次元バーコードの画像における座標情報を検出する検出ステップと、探知ステップで探知した２次元バーコードのパターンを識別する識別ステップと、記憶ステップで記憶した３次元画像データのうちの識別ステップで識別した２次元バーコードのパターンに対応するものに対応する３次元画像を、撮像ステップで撮像したオブジェクトの画像上であって、検出ステップで検出した２次元バーコードの画像における座標情報に基づいて決定される座標系の座標に表示するように制御する表示制御ステップとを含むことを特徴とする。
【手続補正５】
【補正対象書類名】明細書
【補正対象項目名】００１１
【補正方法】変更
【補正の内容】
【００１１】
本発明においては、３次元画像データが２次元バーコードのパターンに対応付けて記憶され、２次元バーコードが貼付されたオブジェクトが撮像され、撮像されたオブジェクトの画像の中から２次元バーコードが探知される。さらに、探知された２次元バーコードの画像における座標情報が検出され、探知された２次元バーコードのパターンが識別されて、記憶した３次元画像データのうちの識別された２次元バーコードのパターンに対応するものに対応する３次元画像が、撮像されたオブジェクトの画像上であって、検出された２次元バーコードの画像における座標情報に基づいて決定される座標系の座標に表示される。
【手続補正６】
【補正対象書類名】明細書
【補正対象項目名】００８８
【補正方法】変更
【補正の内容】
【００８８】
【発明の効果】
以上のように、本発明によれば、実空間と仮想空間を融合した視覚効果を表現することが可能となる。